(57)【要約】【課題】既存の屈曲した籾殻暗渠内への籾殻の補充を容易かつ確実に行うことができる暗渠用籾殻充填装置を提供する。【解決手段】既存の籾殻暗渠１２内に新たな籾殻１３を補充、充填するための暗渠用籾殻充填装置１１であって、走行可能な作業機（トラクタ１４）に設けられている昇降装置（昇降リンク１４ａ）に装着される前部連結部材１５と、該前部連結部材との間に、水平方向に揺動可能な平行リンク１６を介して連結された後部連結部材１７と、該後部連結部材の下部に設けられて既存の籾殻暗渠内に挿入されるガイド部材１８と、該ガイド部材の後部に連設されて前記既存の籾殻暗渠内に籾殻を投入するためのホッパー１９とを備えている。【選択図】図１
2019173316.tif 000002
【特許請求の範囲】
【請求項１】
既存の籾殻暗渠内に新たな籾殻を補充するための暗渠用籾殻充填装置であって、走行可能な作業機に設けられている昇降装置に装着される前部連結部材と、該前部連結部材との間に、水平方向に揺動可能な平行リンクを介して連結された後部連結部材と、該後部連結部材の下部に設けられて既存の籾殻暗渠内に挿入されるガイド部材と、該ガイド部材の後部に連設されて前記既存の籾殻暗渠内に籾殻を投入するためのホッパーとを備えていることを特徴とする暗渠用籾殻充填装置。
【請求項２】
前記ガイド部材は、進行方向前部に、進行方向前方に向かって先鋭化した先鋭部が設けられ、該先鋭部は、先鋭部下端に対して先鋭部上端が進行方向後方に位置する傾斜を有していることを特徴とする請求項１記載の暗渠用籾殻充填装置。
【請求項３】
前記ガイド部材の進行方向後方の側壁と前記ホッパーの下部に設けられている籾殻投入部の側壁とが連続的に形成されていることを特徴とする請求項１又は２記載の暗渠用籾殻充填装置。
【請求項４】
前記ホッパーの側壁が、ホッパーの内方に向かって凸となる曲面で形成されていることを特徴とする請求項１乃至３のいずれか１項記載の暗渠用籾殻充填装置。
【請求項５】
前記ホッパーの後壁外面上部に、折り畳みテーブルが設けられていることを特徴とする請求項１乃至４のいずれか１項記載の暗渠用籾殻充填装置。
【請求項６】
前記前部連結部材と前記後部連結部材とには、前記前部連結部材に対する前記ホッパーの左右方向位置を中心に復元させるホッパー復位手段が設けられていることを特徴とする請求項１乃至５のいずれか１項記載の暗渠用籾殻充填装置。
【請求項７】
前記ホッパー復位手段は、前記前部連結部材の左右両端部にそれぞれ設けられたロープ固着部材と、前記後部連結部材の左右両端部にそれぞれ設けられたロープガイド部材と、該ロープガイド部材の後部に設けられたロープ巻取部材と、前記後部連結部材の一側に設けられた前記ロープ巻取部材の駆動部と、ロープ固着部材に連結固定され、ロープガイド部材を介してロープ巻取部材に巻き取られる復位用ロープとを備えていることを特徴とする請求項６記載の暗渠用籾殻充填装置。
【発明の詳細な説明】
【技術分野】
【０００１】
本発明は、暗渠用籾殻充填装置に関し、詳しくは、籾殻暗渠内に充填された籾殻が腐食するなどして通水性が低下したときに、既存の籾殻暗渠内に籾殻を補充するための暗渠用籾殻充填装置に関する。
【背景技術】
【０００２】
従来から圃場などの排水性を向上させるため、籾殻暗渠形成装置を使用して圃場の地中に溝を形成するとともに、溝内に籾殻を充填した籾殻暗渠を設けることが行われている（例えば、特許文献１参照。）。
【先行技術文献】
【特許文献】
【０００３】
【特許文献１】特開２０１０−２８１２０４号公報
【発明の概要】
【発明が解決しようとする課題】
【０００４】
籾殻暗渠は、圃場の耕起を行った際に、籾殻が地上に上がってきても、農作物の栽培に悪影響を及ぼさないことから、砂利などの疎水材に比べて多用されている。しかし、長期の使用で籾殻が腐食して圧密状態となり、通水性が低下することがある。このため、別の籾殻暗渠を新たに形成したり、既存の籾殻暗渠内に籾殻を補充したりすることが行われている。籾殻暗渠を新たに形成する場合は、大型の走行機械を必要とするなど、工事全体が大掛かりとなり、費用が嵩むという問題がある。一方、既存の籾殻暗渠内に籾殻を補充する場合は、既存の籾殻暗渠が必ずしも直線状に形成されているとは限らないため、既存の籾殻暗渠内に籾殻投入機から籾殻を補充するためには、既存の籾殻暗渠の屈曲状態に対応させて籾殻投入機を追従させなければならない。
【０００５】
そこで本発明は、既存の屈曲した籾殻暗渠内への籾殻の補充を容易かつ確実に行うことができる暗渠用籾殻充填装置を提供することを目的としている。
【課題を解決するための手段】
【０００６】
上記目的を達成するため、本発明の暗渠用籾殻充填装置は、既存の籾殻暗渠内に新たな籾殻を補充するための暗渠用籾殻充填装置であって、走行可能な作業機に設けられている昇降装置に装着される前部連結部材と、該前部連結部材との間に、水平方向に揺動可能な平行リンクを介して連結された後部連結部材と、該後部連結部材の下部に設けられて既存の籾殻暗渠内に挿入されるガイド部材と、該ガイド部材の後部に連設されて前記既存の籾殻暗渠内に籾殻を投入するためのホッパーとを備えていることを特徴としている。
【０００７】
さらに、本発明の暗渠用籾殻充填装置は、前記ガイド部材が、進行方向前部に、進行方向前方に向かって先鋭化した先鋭部が設けられ、該先鋭部は、先鋭部下端に対して先鋭部上端が進行方向後方に位置する傾斜を有していること、前記ガイド部材の進行方向後方の側壁と前記ホッパーの下部に設けられている籾殻投入部の側壁とが連続的に形成されていることを特徴としている。
【０００８】
また、前記ホッパーの側壁が、ホッパーの内方に向かって凸となる曲面で形成されていること、前記ホッパーの後壁外面上部に、折り畳みテーブルが設けられていることを特徴としている。
【０００９】
さらに、前記前部連結部材と前記後部連結部材とには、前記前部連結部材に対する前記ホッパーの左右方向位置を中心に復元させるホッパー復位手段が設けられていること、前記ホッパー復位手段が、前記前部連結部材の左右両端部にそれぞれ設けられたロープ固着部材と、前記後部連結部材の左右両端部にそれぞれ設けられたロープガイド部材と、該ロープガイド部材の後部に設けられたロープ巻取部材と、前記後部連結部材の一側に設けられた前記ロープ巻取部材の駆動部と、ロープ固着部材に連結固定され、ロープガイド部材を介してロープ巻取部材に巻き取られる復位用ロープとを備えていることを特徴としている。
【発明の効果】
【００１０】
本発明の暗渠用籾殻充填装置によれば、ガイド部材を既存の籾殻暗渠内に挿入した状態で作業機を走行させると、既存の籾殻暗渠の屈曲状態に対応して平行リンクで連結された後部連結部材が進行方向に向かって左右方向に自動的に移動するので、新たな溝を形成する場合に比べて軽い力で暗渠用籾殻充填装置を前進させることができ、比較的小型のトラクタを使用して籾殻の充填作業を行うことができ、籾殻充填作業の効率向上や費用の低減を図ることができる。
【図面の簡単な説明】
【００１１】
【図１】本発明の暗渠用籾殻充填装置を使用して既存の籾殻暗渠内に籾殻を補充している状態を示す側面図である。
【図２】本発明の暗渠用籾殻充填装置の一形態例を示す側面図である。
【図３】同じく平面図である。
【図４】同じく背面図である。
【図５】同じく進行方向前方から見た斜視図である。
【図６】平行リンクを介して暗渠用籾殻充填装置が左右方向に移動した状態を示す平面図である。
【発明を実施するための形態】
【００１２】
図１乃至図６は、本発明の暗渠用籾殻充填装置の一形態例を示している。本形態例に示す暗渠用籾殻充填装置１１は、圃場の地中に形成されている既存の籾殻暗渠１２内に新たな籾殻１３を補充、充填するためのものであって、走行可能な作業機、例えばトラクタ１４の後部に設けられている昇降装置である昇降リンク１４ａに装着されて使用される。
【００１３】
本形態例に示す暗渠用籾殻充填装置１１は、前記昇降リンク１４ａに装着される前部連結部材１５と、該前部連結部材１５との間に、水平方向に揺動可能な平行リンク１６を介して連結された後部連結部材１７と、該後部連結部材１７の下部に設けられて既存の籾殻暗渠１２内に挿入されるガイド部材１８と、該ガイド部材１８の後部に連設されて前記既存の籾殻暗渠１２内に籾殻１３を投入するためのホッパー１９とを備えている。平行リンク１６は、４本のリンク部材１６ａを互いに平行に組み合わせて形成され、両端が前部連結部材１５及び後部連結部材１７に、鉛直方向の枢軸によってそれぞれ回動可能に連結されている。
【００１４】
ホッパー１９は、左右一対の側壁２０，２０と、両側壁２０，２０の前端を覆う前壁２１と、両側壁２０，２０の後端を覆う後壁２２とで形成されている。また、ホッパー１９は、既存の籾殻暗渠１２内に挿入される下半部の籾殻充填部１９ａと、該籾殻充填部１９ａに向かって籾殻１３を落下させる上半部の籾殻投入部１９ｂとが上下に連続して形成されており、籾殻充填部１９ａの下端には籾殻充填口１９ｃが開口し、籾殻投入部１９ｂの上端には籾殻投入口１９ｄが開口している。
【００１５】
籾殻充填部１９ａにおける両側壁２０，２０は、既存の籾殻暗渠１２の側壁に沿った状態で互いに平行に形成され、側壁２０，２０の下端縁は、前端から後端に向かって上昇した形状となっている。また、籾殻投入部１９ｂにおける側壁２０，２０は、上方に向かって互いに離間する逆ハ字状に形成され、籾殻充填部１９ａと籾殻投入部１９ｂとの間の側壁屈曲部２０ａ，２０ａは、ホッパー１９の内方に向かって凸となる曲面で形成されている。
【００１６】
また、後壁２２の下端には、既存の籾殻暗渠１２の幅寸法と同一で、籾殻充填口１９ｃの後端部下方に突出する充填高さ調節部材２３が、高さ方向の位置調節可能に取り付けられており、充填高さ調節部材２３の高さを調節してボルト２３ａにて固定することにより、既存の籾殻暗渠１２内への籾殻１３の充填高さを設定できるようにしている。さらに、後壁２２の上端後部には、折り畳みテーブル２４が設けられている。この折り畳みテーブル２４は、使用時には、下面に回動可能に連結した頬杖部材２４ａの下端を後壁２２に設けた係止部材２４ｂに係止させることにより、上面が籾殻投入口１９ｄの上縁と面一になる水平方向に引き出され、係止部材２４ｂから頬杖部材２４ａを外すことにより、折り畳みテーブル２４を後壁２２に沿った収納状態にできる折り畳み式に形成されている。
【００１７】
前記ガイド部材１８は、２枚の板材１８ａ，１８ａを、進行方向前方が先鋭化したＶ字状に組み合わせた先鋭部１８ｂを進行方向前部に形成したものであって、先鋭部１８ｂには、下端に対して上端が進行方向後方に位置する傾斜が設けられている。ガイド部材１８の後部は、前記籾殻充填部１９ａを形成する両側壁２０，２０に連続する側壁１８ｃ，１８ｃが設けられている。
【００１８】
さらに、ガイド部材１８の両側には、ガイド部材１８及び籾殻充填部１９ａの地中への挿入量を調節するためのソリ部材２５がそれぞれ設けられている。このソリ部材２５は、後部連結部材１７に固着された鉛直方向の外筒２５ａと、該外筒２５ａ内に摺動可能に挿入された内筒２５ｂと、両筒２５ａ，２５ｂを固定する固定部材２５ｃとにより、上下位置が調節可能に設けられており、既存の籾殻暗渠１２の深さに応じてソリ部材２５の上下位置を設定することにより、ガイド部材１８及び籾殻充填部１９ａを既存の籾殻暗渠１２内の所定深さに確実に挿入することができる。
【００１９】
一方、前記前部連結部材１５と前記後部連結部材１７とには、トラクタ１４に対するホッパー１９の左右方向位置を中心に復元させるホッパー復位手段２６が設けられている。このホッパー復位手段２６は、前部連結部材１５の左右両端部にそれぞれ設けられたロープ固着部材２７ａ，２７ｂと、後部連結部材１７の左右両端部にそれぞれ設けられたロープガイド部材２８ａ、２８ｂと、ロープガイド部材２８ａ、２８ｂの後部に設けられたロープ巻取部材２９と、後部連結部材１７の一側に設けられた駆動部３０とを備えるとともに、前部連結部材１５の左端に設けられたロープ固着部材２７ａに連結固定され、後部連結部材１７の右端に設けられたロープガイド部材２８ｂを介してロープ巻取部材２９の右端部に巻き取られた第１復位用ロープ３１ａと、前部連結部材１５の右端に設けられたロープ固着部材２７ｂに連結固定され、後部連結部材１７の左端に設けられたロープガイド部材２８ａを介してロープ巻取部材２９の左端部に巻き取られた第２復位用ロープ３１ｂとを備えている。
【００２０】
駆動部３０は、ロープ巻取部材２９の一端に固着された大径の駆動ドラム３２と、該駆動ドラム３２に巻回された駆動用ロープ３３とを有しており、駆動用ロープ３３を引っ張ることにより、駆動ドラム３２を介してロープ巻取部材２９を、第１復位用ロープ３１ａ及び第２復位用ロープ３１ｂを巻き取る方向に回転させることができるように形成されている。
【００２１】
このように形成された暗渠用籾殻充填装置１１は、圃場における既存の籾殻暗渠１２の始端部で、トラクタ１４の中心線を既存の籾殻暗渠１２の方向に一致させた状態でトラクタ１４の昇降リンク１４ａを操作し、ソリ部材２５を接地させ、ホッパー１９の下半部の籾殻充填部１９ａ及びガイド部材１８を所定量地中に挿入する。この状態で既存の籾殻暗渠１２に沿ってトラクタ１４を前進させるとともに、籾殻投入口１９ｄからホッパー１９内に籾殻１３を投入する。籾殻１３を投入する際に、折り畳みテーブル２４を水平方向に引き出しておくことにより、籾殻が封入された袋を折り畳みテーブル２４の上に置いた状態で、開封した袋を倒すだけで袋内の籾殻１３を籾殻投入口１９ｄ内に投入できるので、籾殻１３の投入作業を容易に行うことができる。
【００２２】
また、暗渠用籾殻充填装置１１は、平行リンク１６によってトラクタ１４に連結された状態になっており、左右方向に揺動可能に形成されているので、既存の籾殻暗渠１２に左右方向の屈曲があったときには、ガイド部材１８が籾殻暗渠１２の屈曲状態に応じて左右方向に平行移動する。すなわち、既存の籾殻暗渠１２における溝側壁の固さに比べて籾殻が充填されていた部分は柔らかいため、ガイド部材１８は、先端の先鋭部１８ｂが柔らかい部分を進んでいき、既存の籾殻暗渠１２の屈曲状態に応じて籾殻充填部１９ａが左右方向に平行移動する。これにより、比較的軽い力で暗渠用籾殻充填装置１１を既存の籾殻暗渠１２に沿って前進させることができ、既存の籾殻暗渠１２内に新たな籾殻１３を充填していくことができるので、籾殻暗渠における良好な排水性を回復させることができる。
【００２３】
既存の籾殻暗渠１２の終端に到達したときには、昇降リンク１４ａによって暗渠用籾殻充填装置１１を地面より高く上昇させて方向転換を行い、トラクタ１４を走行させて次の既存の籾殻暗渠１２の始端位置に暗渠用籾殻充填装置１１を移動させ、前記同様の籾殻充填作業を行う。このとき、トラクタ１４の中心線と暗渠用籾殻充填装置１１の中心線とがずれていると、次の籾殻充填作業の際に、既存の籾殻暗渠１２に対するトラクタ１４の位置と暗渠用籾殻充填装置１１の位置とが左右方向に異なり、暗渠用籾殻充填装置１１を既存の籾殻暗渠１２内に挿入することが困難になるとともに、暗渠用籾殻充填装置１１の左右方向の移動可能量が異なってしまい、籾殻暗渠１２の屈曲状態によっては暗渠用籾殻充填装置１１が追従できなくなるおそれがあるため、ホッパー復位手段２６を操作して暗渠用籾殻充填装置１１を中央位置に復位させる。
【００２４】
例えば、図６に示すように、トラクタ１４に装着した前部連結部材１５に対して後部連結部材１７が右方向（図６において上方）に移動した場合、前部連結部材１５の左端に設けられたロープ固着部材２７ａと後部連結部材１７の右端に設けられたロープガイド部材２８ｂとの距離が離れているくめ、第１復位用ロープ３１ａは、ロープ巻取部材２９から引き出されていく。一方、ロープ固着部材２７ｂとロープガイド部材２８ａとの距離は縮まるが、第１復位用ロープ３１ａが引き出される際のロープ巻取部材２９の回転により、第２復位用ロープ３１ｂがロープ巻取部材２９から巻き出されていく。したがって、第１復位用ロープ３１ａは張った状態、第２復位用ロープ３１ｂは弛んだ状態にないる。また、ロープ巻取部材２９の回転に伴う駆動ドラム３２の回転によって駆動用ロープ３３は駆動ドラム３２に巻き取られた状態になる。
【００２５】
この状態で駆動用ロープ３３を引っ張り、駆動ドラム３２から駆動用ロープ３３を引き出すことによって駆動ドラム３２を回転させると、駆動ドラム３２の回転に伴ってロープ巻取部材２９が両復位用ロープ３１ａ，３１ｂを巻き取る方向に回転する。これにより、両復位用ロープ３１ａ，３１ｂがロープ巻取部材２９にそれぞれ巻き取られ、張った状態になっている第１復位用ロープ３１ａがロープ固着部材２７ａを引っ張り、前部連結部材１５を中央位置に復位させる。一方、第２復位用ロープ３１ｂは弛んだ状態から次第に張った状態になり、最終的に、前部連結部材１５が中央位置に復位したときに、両復位用ロープ３１ａ，３１ｂが共に張った状態になって駆動用ロープ３３が引き出せなくなる。したがって、駆動用ロープ３３が引き出せなくなるまで駆動用ロープ３３を引っ張るだけの簡単な操作で、平行リンク１６で連結された前部連結部材１５と後部連結部材１７とを前後に並んだ状態にすることができ、トラクタ１４の中心線と暗渠用籾殻充填装置１１の中心線とを合わせることができる。これにより、次の既存の籾殻暗渠１２内への暗渠用籾殻充填装置１１の挿入を容易かつ確実に行えるとともに、次の既存の籾殻暗渠１２内への籾殻１３の充填も確実に行うことができる。
【００２６】
また、既存の籾殻暗渠１２の深さに応じてソリ部材２５を接地させることにより、全長にわたって所定量の新たな籾殻を１３を確実に充填することができる。さらに、ホッパー１９の側壁２０，２０における側壁屈曲部２０ａ，２０ａを、ホッパー１９の内方に向かって凸となる曲面で形成したことにより、ホッパー１９内に投入した籾殻１３を籾殻充填口１９ｃに向かって円滑に落下させることができる。
【００２７】
なお、ブルドーザやパワーショベルなどの重機を使用できる場合は、重機連結用の適宜な連結部材を使用することにより、走行体として重機を使用することも可能である。また、昇降リンクなどで暗渠用籾殻充填装置の地中への挿入量を調節できるときには、ソリ部材を省略することも可能である。さらに、籾殻の落下を促進するための撹拌器などをホッパー内に設置することもできる。また、駆動部の構造は任意であり、例えば、復位用ロープを巻き取る際に、駆動用ロープを用いずに、駆動ドラムをハンドルなどによって直接回転させることもできる。
【符号の説明】
【００２８】
１１…暗渠用籾殻充填装置、１２…既存の籾殻暗渠、１３…籾殻、１４…トラクタ、１４ａ…昇降リンク、１５…前部連結部材、１６…平行リンク、１６ａ…リンク部材、１７…後部連結部材、１８…ガイド部材、１８ａ…板材、１８ｂ…先鋭部、１８ｃ…側壁、１９…ホッパー、１９ａ…籾殻充填部、１９ｂ…籾殻投入部、１９ｃ…籾殻充填口、１９ｄ…籾殻投入口、２０…側壁、２０ａ…側壁屈曲部、２１…前壁、２２…後壁、２３…充填高さ調節部材、２３ａ…ボルト、２４…折り畳みテーブル、２４ａ…頬杖部材、２４ｂ…係止部材、２５…ソリ部材、２５ａ…外筒、２５ｂ…内筒、２５ｃ…固定部材、２６…ホッパー復位手段、２７ａ，２７ｂ…ロープ固着部材、２８ａ、２８ｂ…ロープガイド部材、２９…ロープ巻取部材、３０…駆動部、３１ａ…第１復位用ロープ、３１ｂ…第２復位用ロープ、３２…駆動ドラム、３３…駆動用ロープ
【図１】
2019173316.tif 000003
【図２】
2019173316.tif 000004
【図３】
2019173316.tif 000005
【図４】
2019173316.tif 000006
【図５】
2019173316.tif 000007
【図６】
2019173316.tif 000008